(57)【要約】      （修正有）【課題】防災・防犯・救命機能、アクセスポイント機能、情報表示機能等の各種機能を、所定の間隔毎に整備されたペデスタルボックス設置箇所に備えることで当該各機能に対応した各種サービスを所定間隔毎に提供できる改良型ペデスタルボックスを提供する。【解決手段】伝送品質を確保する増幅器Ａ、停電時等の非常時にこの増幅器Ａを作動するための電源となる非常時電源供給器Ｐ、需要家毎に伝送信号を分配し、周囲状況の取得情報を送信する分配器Ｄ等の各種機器を備えたボックス本体１に、監視カメラ５４やＬＥＤ防犯灯５１による防犯・防災機能、無線ＬＡＮのアクセスポイント器５３によるインターネットアクセスポイント機能、無線ＬＡＮのアンテナ５２による送受信機能、電子表示装置３２による防災情報表示機能、更には自動体外式除細動器Ｌによる救命機能等の各種機能用の機器を付設する。【選択図】図１
0003198520.tif 000002
【実用新案登録請求の範囲】
【請求項１】
地中線方式で構成される通信線系路の保守、点検用に地上に設置される改良型ペデスタルボックスであって、伝送品質を確保する増幅器、停電時の非常時にこの増幅器を作動させる電源となる非常時電源供給器、需要家毎に伝送信号を分配し、また周囲状況の取得情報を送信する分配器の各種機器を備えたボックス本体に、監視カメラやＬＥＤ防犯灯による防犯・防災機能、無線ＬＡＮのアクセスポイント器によるインターネットアクセスポイント機能、無線ＬＡＮのアンテナによる送受信機能、電子表示装置による防災情報表示機能の各種機能用の機器を付設して成ることを特徴とする改良型ペデスタルボックス。
【請求項２】
ボックス本体には、救命機能用の自動体外式除細動器を付設し、この自動体外式除細動器は、ボックス本体に形成した開口部を通じて収容され、前面を開閉扉によって開放可能としたケーシング内に、前記非常時電源供給器からの電力によって充電された状態で収納されていると共に、救命時にケーシングの開閉扉が開放されることで発鳴作動する警報アラームを備え、この発鳴と同時にネットワークを経由して救命救助機関に緊急連絡可能な構成とした請求項１記載の改良型ペデスタルボックス。
【請求項３】
前記電子表示装置は、ボックス本体に形成した透明な窓部の内側に設けられ、ＣＡＴＶネットワークを利用したデジタルサイネージサービス、避難場所やＡＥＤ設置箇所の防災情報、地域案内図、地域広告の各種情報を前記窓部を通して表示させる構成とした請求項１または２記載の改良型ペデスタルボックス。
【請求項４】
前記監視カメラ、ＬＥＤ防犯灯、アクセスポイント、アンテナそれぞれはボックス本体の背面側に立脚状に設置した支柱の上部に設けられ、支柱とボックス本体とは通線用の連結枠筒部を介して互いに連通されている構成とした請求項１乃至３のいずれか記載の改良型ペデスタルボックス。
【請求項５】
前記ＬＥＤ防犯灯は、停電時や夜間においてオン可能として成る請求項１乃至４のいずれか記載の改良型ペデスタルボックス。
【請求項６】
前記無線ＬＡＮのアンテナは、ＣＡＴＶ事業者向け地域ＷｉＦｉサービスや携帯端末事業者向けサービスに基づく各種情報の送受信を行わせるものとした請求項１乃至５のいずれか記載の改良型ペデスタルボックス。
【請求項７】
前記無線ＬＡＮのアクセスポイント器は、分配器のイーサネット（登録商標）ＬＡＮ給電機能からの電力によって作動されるものとした請求項１乃至６のいずれか記載の改良型ペデスタルボックス。
【請求項８】
前記監視カメラは、ボックス本体周辺の状況情報を前記分配器によって監視センターへ送信可能として構成した請求項１乃至７のいずれか記載の改良型ペデスタルボックス。
【請求項９】
前記分配器は、ボックス本体前方にスライド可能なスライドレール式棚構造のスライド棚に載置された構成とした請求項１乃至８のいずれか記載の改良型ペデスタルボックス。
【考案の詳細な説明】
【技術分野】
【０００１】
この考案は、電話、通信、ＣＡＴＶ等の各種の通信ケーブルや光ファイバを地中化して配線するに際し、伝送品質を確保する増幅器、停電時等の非常時にこの増幅器を作動させる電源となる非常時電源供給器、需要家毎に伝送信号を分配し、また周囲状況の取得情報を送信する分配器等の各種機器を取付けるために地上にこれらの機器の収容箱として設置され、更には例えば防災・防犯機能、アクセスポイント機能、情報表示機能、更には救命機能等の各種の機能をこの収容箱に備えた改良型ペデスタルボックスに関する。
【背景技術】
【０００２】
近時においては、例えばペデスタルボックスと称されるスタンド式の収容箱を、地中に設けられるハンドホール等の直上に配置構成し、この収容箱内部に、各種通信ケーブルにおける伝送品質を確保する増幅器、停電時等の非常時にこの増幅器を作動させる電源となる非常時電源供給器、需要家毎に伝送信号を分配する等の分配器等の各種機器を配装することで、これらの点検、保守その他を容易なものとし、また、都市環境の美化をも図れるようにしている。
【０００３】
このため、従来のペデスタルボックスとしては、例えば特許文献１に開示されているように、ボックス本体内に選択的に設けられる増幅器支持機構、非常時電源供給器支持機構、スイッチボックス支持機構、分配器支持機構の組合せによって増幅器、非常時電源供給器、スイッチボックス、分配器等の各種機器をボックス本体内に配置構成することで、通信線系路の途中位置においての必要とする各種の点検、保守その他に対応させることのできる通信ケーブル配線ボックス装置が存在する。
【先行技術文献】
【特許文献】
【０００４】
【特許文献１】特許第３０４７３８０号公報
【考案の概要】
【考案が解決しようとする課題】
【０００５】
このような従来におけるペデスタルボックスおよび上記した特許文献１における通信ケーブル配線ボックス装置は、通信ケーブルによる通信線系路の地中整備化に際し、通信ケーブルに付設の前記の各種機器の工事、点検その他の保守作業等を容易にすると同時に、これらの各種機器がそのまま露出されていることにより通行の妨げとなったり、都市環境の劣悪化を招いたり、危険なものとなったりするのを未然に防止することができる。しかしながら、これらの機能を実現できても、近時の都市生活上必要とされる例えば防災・防犯・救命機能、無線通信用のアクセスポイント機能、情報表示機能、周囲状況の監視取得情報の送信機能等のためには有効に活用されてはおらず、これらの機能を備えたペデスタルボックスは未だ実現されていないのが実情である。
【０００６】
例えば、これらの各種の機能は単独では各地域毎に設置されることが重要であるが、通信線系路の所定の間隔をもって整備された通信ケーブルや光ファイバの中継点であるペデスタルボックス設置箇所にこれら上記機能を備えていれば、各種機器および追加機能の工事、点検その他の保守等の作業を一括にまとめて実施でき整備上非常に合理的なものとなると考えられる。
【０００７】
そこで、この考案は叙上のような従来存した諸事情に鑑み案出されたもので、例えば防災・防犯機能、アクセスポイント機能、情報表示機能、更には救命機能等の各種機能を、所定の間隔毎に整備された通信ケーブルや光ファイバの中継点としてのペデスタルボックス設置箇所に備えることで、都市生活上必要とされる例えば防災・防犯機能、アクセスポイント機能、情報表示機能、更には救命機能等を発揮できる改良型ペデスタルボックスを提供することを目的とする。
【課題を解決するための手段】
【０００８】
上述した課題を解決するために、この考案にあっては、地中線方式で構成される通信線系路の保守、点検用に地上に設置される改良型ペデスタルボックスであって、伝送品質を確保する増幅器Ａ、停電時の非常時にこの増幅器Ａを作動させる電源となる非常時電源供給器Ｐ、需要家毎に伝送信号を分配し、また周囲状況の取得情報を送信する分配器Ｄの各種機器を備えたボックス本体１に、監視カメラ５４やＬＥＤ防犯灯５１による防犯・防災機能、無線ＬＡＮのアクセスポイント器５３によるインターネットアクセスポイント機能、無線ＬＡＮのアンテナ５２による送受信機能、電子表示装置３２による防災情報表示機能の各種機能用の機器を付設して成ることを特徴とする。
また、ボックス本体1には、救命機能用の自動体外式除細動器Ｌを付設し、この自動体外式除細動器Ｌは、ボックス本体１に形成した開口部７を通じて収容され、前面を開閉扉１３によって開放可能としたケーシング８内に収納されていると共に、救命時にケーシング８の開閉扉１３が開放されることで発鳴作動する警報アラーム１４を備え、この発鳴と同時にネットワークを経由して救命救助機関に緊急連絡可能な構成とすることができる。
前記電子表示装置３２は、ボックス本体１に形成した透明な窓部３１の内側に設けられ、ＣＡＴＶネットワークを利用したデジタルサイネージサービス、避難場所やＡＥＤ設置箇所の防災情報、地域案内図、地域広告の各種情報を前記窓部３１を通して表示させる構成とすることができる。
前記監視カメラ５４、ＬＥＤ防犯灯５１、アクセスポイント器５３、アンテナ５２それぞれはボックス本体１の背面側に立脚状に設置した支柱４１の上部に設けられ、支柱４１とボックス本体１とは通線用の連結枠筒部４４を介して互いに連通されている構成とすることができる。
前記ＬＥＤ防犯灯５１は、停電時や夜間においてオン可能として成るものとすることができる。
前記無線ＬＡＮのアンテナ５２は、ＣＡＴＶ事業者向け地域ＷｉＦｉサービスや携帯端末事業者向けサービスに基づく各種情報の送受信を行わせるものとすることができる。
前記無線ＬＡＮのアクセスポイント器５３は、分配器Ｄのイーサネット（登録商標）（ＰｏＥ）ＬＡＮ給電機能からの電力によって作動されるものとすることができる。
前記監視カメラ５４は、ボックス本体１周辺の状況情報を前記分配器Ｄによって監視センターへ送信可能として構成することができる。
前記分配器Ｄは、ボックス本体１前方にスライド可能なスライドレール式棚構造のスライド棚２４に載置された構成とすることができる。
【０００９】
以上のように構成されたこの考案に係る改良型ペデスタルボックスにあって、電子表示装置３２は、例えばＣＡＴＶネットワークを利用したデジタルサイネージサービス、避難場所やＡＥＤ設置箇所等の防災・救命等の関連情報、地域案内図、地域広告等その他の各種情報をボックス本体１周辺の通行者に提供させる。
また、付設された自動体外式除細動器Ｌは、ボックス本体１から取り出すことで、例えば心臓障害等で救命を要する者に対して利用することで適切な救命処置を施させる。
ＬＥＤ防犯灯５１は、例えば停電時や夜間等においてオンされ、例えば停電時では非常時電源供給器Ｐからの給電力によって当該ＬＥＤ防犯灯５１を点灯させる。
無線ＬＡＮ等のアンテナ５２は、ＣＡＴＶ事業者向け地域ＷｉＦｉサービスや携帯端末事業者向けサービス等に基づく各種情報の送受信を行わせる。
無線ＬＡＮ等のアクセスポイント器５３は、分配器Ｄのイーサネット（登録商標）（ＰｏＥ）ＬＡＮ給電機能からの電力によって作動され、ボックス本体１周辺の歩道での通行者が所持するノートパソコンやスマートフォンなどの無線ＬＡＮクライアントを相互に接続したり、他のネットワークに接続したりすることで、無線ＬＡＮクライアントはこのアクセスポイント器５３を介してインターネットアクセス等の通信を可能にさせる。
監視カメラ５４は、ボックス本体１に隣接した例えば歩道の混雑状況や車道の渋滞状況等を常時監視し、これらの周囲における状況画像その他の情報を前記分配器Ｄによって監視センター等へ送信させる。
スライドレール式棚構造によるスライド棚２４は、分配器Ｄの点検、保守に際し、スライド棚２４をボックス本体１の前方にスライドさせるため、分配器Ｄに接続されている光ファイバ等の点検・保守作業を容易にさせる。
【考案の効果】
【００１０】
この考案によれば、例えば防災・防犯機能、アクセスポイント機能、情報表示機能、更には救命機能の各種機能を、所定の間隔毎に整備された通信ケーブルや光ファイバの中継点としてのペデスタルボックス設置箇所に備えることで、当該各種機能に対応した各種のサービスを所定の間隔毎に提供することができ、しかも増幅器・非常時電源供給器・分配器等の各種機器と、上記機能との工事、点検その他の保守等の作業をペデスタルボックス設置場所にて一括にまとめて行うことができ、整備上の能率向上を図ることができる。
【００１１】
すなわち、これはこの考案に係る改良型ペデスタルボックスが、監視カメラ５４やＬＥＤ防犯灯５１による防犯・防災機能、無線ＬＡＮのアクセスポイント器５３によるインターネットアクセスポイント機能、無線ＬＡＮのアンテナ５２による送受信機能、電子表示装置３２による防災情報表示機能、更には自動体外式除細動器（ＡＥＤ）Ｌによる救命機能の各種機能用の機器を付設して成るからである。
【００１２】
また、自動体外式除細動器Ｌは、ボックス本体１に形成した開口部７を通じて収容され、前面を開閉扉１３によって開放可能としたケーシング８内に収納されていると共に、救命時にケーシング８の開閉扉１３が開放されることで発鳴作動する警報アラーム１４を備え、この発鳴と同時にネットワークを経由して例えば最寄りの消防署等の救命救助機関に緊急連絡可能な構成としたので、自動体外式除細動器Ｌは、例えば震災、あるいは人身事故や交通事故等による緊急を要する救命時において、救命者がボックス本体１のケーシング８の開閉扉１３を解錠し開放することで迅速な救命措置を行うことができる。
【００１３】
前記電子表示装置３２は、ボックス本体１に形成した透明な窓部３１の内側に設けられ、ＣＡＴＶネットワークを利用したデジタルサイネージサービス、避難場所やＡＥＤ設置箇所の防災情報、地域案内図、地域広告の各種情報を前記窓部３１を通して表示させる構成としたので、ボックス本体１周辺の各種情報を不特定多数の通行者に提供することができる。
【００１４】
前記監視カメラ５４、ＬＥＤ防犯灯５１、アクセスポイント器５３、アンテナ５２それぞれはボックス本体１の背面側に立脚状に設置した支柱４１の上部に設けられ、支柱４１とボックス本体１とは通線用の連結枠筒部４４を介して互いに連通されており、この連結枠筒部４４は、上記したボックス本体１内の非常時電源供給器Ｐによる監視カメラ５４、ＬＥＤ防犯灯５１への電力供給、分配器Ｄのイーサネット（登録商標）（ＰｏＥ）ＬＡＮ給電機能によるアクセスポイント器５３への電力供給や周囲状況の取得情報の送信、ボックス本体１内の分配器Ｄのイーサネット（登録商標）（ＰｏＥ）ＬＡＮとアンテナ５２との配線のための接続通路を形成することができる。
【００１５】
ＬＥＤ防犯灯５１は、停電時や夜間においてオン可能として成るので、例えば停電時等においても非常時電源供給器Ｐからの給電力によって当該ＬＥＤ防犯灯５１を点灯させることができる。これにより停電時や夜間等における通行者に対する防犯としての地域貢献ができ、しかも、ボックス本体１の周辺にいる人や公共設置物等に対する自動車や自転車等の追突を未然に防止することができる。
【００１６】
無線ＬＡＮのアンテナ５２は、ＣＡＴＶ事業者向け地域ＷｉＦｉサービスや携帯端末事業者向けサービスに基づく各種情報の送受信を行わせるので、例えばミリ波等を利用した次世代交通システムへの活用やＩＲタグ等を利用した高齢者や子供等の位置情報サービスの提供等が可能となる。
【００１７】
無線ＬＡＮのアクセスポイント器５３は、分配器Ｄのイーサネット（登録商標）（ＰｏＥ）ＬＡＮ給電機能からの電力によって作動されものとしたので、ボックス本体１周辺の歩道での通行者が所持するノートパソコンやスマートフォンなどの無線ＬＡＮクライアントを相互に接続したり、他のネットワークに接続したりすることで、無線ＬＡＮクライアントはこのアクセスポイント器５３を介してインターネットアクセス等の通信を容易に行うことができる。
【００１８】
監視カメラ５４は、ボックス本体１周辺の状況情報を画像情報として取得して記録・保管し、前記分配器Ｄによって監視センターへ送信可能としたので、監視カメラ５４は、ボックス本体１に隣接した例えば歩道の混雑状況や車道の渋滞状況等を常時監視し、これらの状況情報を前記分配器Ｄによって不図示の監視センター等へ送信することで、歩道での通行者に対する犯罪行為を未然に防ぐことができると共に、車道での渋滞状況・違法駐車・交通事故・火災等の実況をボックス本体１箇所から容易に把握でき、警察署や救助センターへの対応も迅速に行える。
【００１９】
前記分配器Ｄは、ボックス本体１前方にスライド可能なスライドレール式棚構造のスライド棚２４に載置されているので、分配器Ｄの点検、保守に際し、上記観音扉構造の左側扉４Ａを開放させてからスライド棚２４をボックス本体１前方にスライドさせることで分配器Ｄに接続されている光ファイバ等の点検、保守作業の容易性が充分に確保される。
【００２０】
尚、上記の課題を解決するための手段、考案の効果の項それぞれにおいて付記した符号は、図面中に記載した構成各部を示す部分との参照を容易にするために付したもので、図面中の符号によって示された構造・形状にこの考案が限定されるものではない。
【図面の簡単な説明】
【００２１】
【図１】この考案を実施するための一形態における改良型ペデスタルボックスをイメージ的に示す斜視図である。
【図２】同じく改良型ペデスタルボックスの正面図である。
【図３】同じく改良型ペデスタルボックスの側面図である。
【図４】改良型ペデスタルボックスのハンドホール上での嵩上げ設置の一例を示す一部省略の断面図である。
【図５】スライドレール式棚構造の一例を示すボックス本体の平面図である。
【図６】スライドレール式棚構造の一例を示すボックス本体の側面図である。
【図７】ボックス本体内のスライドレール式棚構造の一例を示す斜視図である。
【図８】自動体外式除細動器を収納するケーシングの一例を示すもので、（ａ）は正面図、（ｂ）は側面図、（ｃ）は背面図、（ｄ）は下面図、（ｅ）は（ｂ）の円で示すＥ部の拡大断面図である。
【図９】自動体外式除細動器を収納するケーシングのボックス本体内への設置例の平断面図である。
【図１０】自動体外式除細動器を収納するケーシングの内底部に配した棚板の高さおよび傾斜角度の変更の一例を示すもので、（ａ）は機器の高さが高い場合の棚板の配置状態を示すケーシングの正面図、（ｂ）は同じく傾斜した棚の側面図、（ｃ）は機器の高さが低い場合の棚板の配置状態を示すケーシングの正面図、（ｄ）は同じく傾斜した側面図である。
【図１１】観音扉に対し上向き傾斜状となって設けられる情報パネルの一例を示すボックス本体の側断面図である。
【考案を実施するための形態】
【００２２】
以下、図面を参照してこの考案の実施の一形態を詳細に説明すると、図において示される符号１は、改良型ペデスタルボックスを構成するボックス本体であり、該ボックス本体１は、図１乃至図３に示すように、電話、通信、ＣＡＴＶ等の各種の通信ケーブルや光ファイバ（図示せず）を地中化して配線するに際し、後述する、伝送品質を確保する増幅器Ａ、停電時等の非常時にこの増幅器Ａを作動させる電源となる非常時電源供給器Ｐ、例えばボックス本体１内に収納した各種機器類を制御する各種のスイッチ類が収納されたスイッチボックスＳ、需要家毎に伝送信号を分配し、また周囲状況の取得情報を送信する分配器Ｄ等の各種機器を適宜に組合せて取付けるために地上にこれらの機器の収容箱として設置されるものである。
【００２３】
このボックス本体１は、図４に示すように、地中に構成される通信線系路において、その点検、保守その他が必要な位置で地中に設けられるハンドホールＨ上である地上に、チャンネル鋼材等の据付部材２を介して立脚状に設置される。ボックス本体１は、正面側壁４、左右側壁５Ａ，５Ｂ、上側壁５Ｃ、背面側壁５Ｄから成り、天井面ハンドホールＨの上部開口と連通させるよう底部が開口された略直方体状を呈している。また、ハンドホールＨのボックス用蓋Ｆに位置ズレ防止のための例えば約５ｃｍ程度の窪みが存在している場合には、その窪みに高さ約５ｃｍ程度の嵩上げ架台３を配することで地表面と面一となった状態にしてからその上に前記据付部材２を介してボックス本体１が立脚状に設置されるものとなっている。なお、ボックス本体１は、正面側壁４が左側扉４Ａと右側扉４Ｂとによる観音扉構造（図２参照）によって開放可能とし、また正面側壁４、および左右側壁５Ａ，５Ｂの表面には換気のための多数のガラリ窓群６を形成してある。
【００２４】
上記した各種機器の具体的配置例としては、例えばボックス本体１の正面視内部の左側に例えば上下で２個の増幅器Ａを上下位置、左右位置での調整変更が自在となるようにして配置固定するものとしてある。また下段の増幅器Ａの下方側には、後述するスライドレール式棚構造のスライド棚２４に載置された状態で分配器Ｄが収容されている。これら増幅器Ａと分配器Ｄは、上記観音扉構造の左側扉４Ａを開放させることで、それらの点検、保守その他が行えるようになっている。
【００２５】
なお、増幅器Ａとしては、例えば７７０ＭＨｚ光・同軸ハイブリッドＣＡＴＶシステムにおいて光信号とＲＦ信号の変換、増幅を行う双方向上り２ＴＸ（上り二重化）対応型のアドバンスノード等を使用している。
【００２６】
このアドバンスノードは、下りが自動切替機能付きの２系統の受光回路を内蔵しており、光ルート二重化によるシステムの信頼性向上が図れるものとしている。下りＲＦ出力（ＴＡ端子を除く）は、システム設計に応じて適切なレベルに選択する事ができ、不図示の分岐出力切替スイッチにより、４端子から２端子に出力を変更することで、更に高出力化が可能である。またＴＡ端子を設けることで既存のＴＤＡ・ＴＢＡからの置換えにも柔軟に対応できるものとなっている。上りは１系統（１ＴＸ）から２系統（２ＴＸ）への拡張ができ、２系統（２ＴＸ）時には、セル分割送信が可能である。光送信カセットは着脱可能で波長選択性に優れている。高力率電源ユニットの採用により低消費電力化が可能で、しかも、ＳＴＭユニット（オプション）を搭載することで、機器の運用状態監視をセンターから行うことができる。５端子に独立したＮｅｔｗｏｒｋ  Ｄｏｃｔｒ機能（ＮＤ）を搭載しているので、流合雑音の調査等に威力を発揮し、さらにＳＦＳ−７２０３Ｒ−Ｊには１３１０ｍｍ（９ｄＢｍ）の送信アクセサリーが用意されている。
【００２７】
一方、分配器Ｄとしては、光ファイバを分岐するスプリッタや加入者宅への分岐・幹線ケーブルの相互接続や配線変更を容易にするために使用されるメカニカルクロージャーの他に、ＣＡＴＶ設備に追加されるモジュラーＣＭＴＳ、ミニノード等の機構に対応したものが使用され、また後述する監視カメラ５４によって取得した周囲の画像情報を記録・保管し、それを外部に送信できるようにしている。具体的には、例えば全てのポートがＩＥＥＥ８０２．３ａｆ準拠のイーサネット（登録商標）（ＰｏＥ）ＬＡＮ給電機能に対応したファーストイーサネット・インテリジェントＰｏＥスイッチ（ＦＳ９０９Ｍ−ＰＳ／ＦＳ９１７Ｍ−ＰＳ／ＦＳ９２６Ｍ−ＰＳ）が使用されている。
【００２８】
分配器Ｄが載置されるスライドレール式棚構造としては、例えば図５乃至図７に示すように、ボックス本体１内の前後左右位置で立脚状に支持される合計４本の縦金物２１Ａ，２１Ｂ，２１Ｃ，２１Ｄと、正面視左側前後に沿う縦金物２１Ａ，２１Ｂ相互間および正面視右側前後に沿う縦金物２１Ｃ，２１Ｄ相互間で例えば１９インチ等のラック２２を介して架設される略コ字枠帯状のスライドレール取付金物２３Ａ，２３Ｂと、平面全体に複数のパンチ孔２４Ａが穿設され且つ左右両側に略コ字枠帯状のスライドレール２５が固定されて成るスライド棚２４とを備え、スライドレール取付金物２３Ａ，２３Ｂに対し、複数のパンチ孔２４Ａを穿設したスライド棚２４の左右両側に固定した略コ字枠帯状のスライドレール２５が係合して前後スライドできるようになっている。また縦金物２１Ａ，２１Ｂ，２１Ｃ，２１Ｄ全体には、その長さ方向に沿って、上下縁、左右縁の長さが異なる例えば縦長矩形状の多数の連結孔２６が略等間隔で開穿されており、前記ラック２２はスライド棚２４の配置高さに応じて適宜選択された上下一対の連結孔２６にボルト・ナット等の締結部材２７によって固定される。こうして分配器Ｄの点検、保守に際し、上記観音扉構造の左側扉４Ａを開放させてからスライド棚２４を前方にスライドさせることで分配器Ｄに接続されている光ファイバ等の点検、保守作業の容易性が充分に確保されるものとしている。
【００２９】
ボックス本体１内の正面視右側には非常時電源供給器Ｐが取り付けられ、この下方側にはスイッチボックスＳが取付けられている。これら非常時電源供給器ＰとスイッチボックスＳは、上記観音扉構造の右側扉５Ｂを開放させることで、それらの点検、保守、その他が行えるようになっている。
【００３０】
本実施形態では、上記した伝送品質を確保する増幅器Ａ、停電時等の非常時にこの増幅器Ａを作動させる電源となる非常時電源供給器Ｐ、例えば収納した各種機器を制御するため等のスイッチ類が収納されたスイッチボックスＳ、需要家毎に伝送信号を分配し、取得した周囲状況を送信する分配器Ｄ等の各種機器を備えたボックス本体１に、例えば、監視カメラ５４やＬＥＤ防犯灯５１等による防犯・防災機能、自動体外式除細動器（ＡＥＤ）Ｌ等による救命機能、無線ＬＡＮ等のアクセスポイント器５３によるインターネットアクセスポイント機能、無線ＬＡＮ等のアンテナ５２による送受信機能、電子表示装置３２等による防災情報表示機能等の各種機能用の機器を付設してある。
【００３１】
すなわち、ボックス本体１の内部において、上記したスイッチボックスＳの前方側に自動体外式除細動器Ｌの設置スペースを確保するために上記観音扉構造の右側扉４Ｂ下部には開口部７が形成され、この開口部７を通じて設置スペース内に矩形筐体状のＡＥＤ用のケーシング８が収容されるものとなっている。なお、この自動体外式除細動器Ｌには不図示の充電装置が内蔵されており、例えば上記非常時電源供給器Ｐからの電力によって常に充電できるようにしてあっても良い。
【００３２】
図８に示すように、自動体外式除細動器Ｌは、この矩形状のケーシング８の内底部に設けられた棚板１０上に載置収納されており、その前面の開口部側には面ファスナータイプの固定バンド等によって適当なロック手段による施錠を可能にした埋込み取っ手１１を備え且つ中央面には透明アクリル製の窓部１２を備えた開閉扉１３が設けられている。上記ケーシング８はその背面側上部における２箇所に形成したダルマ状の取付孔９それぞれに、ボックス本体１の内部において左右一対となって立脚した不図示の支柱材の各上下に形成したボルト形状の突起の各頭部を係架させることで取付けられる。
【００３３】
開閉扉１３の埋込み取っ手１１の位置する側近傍の内側には磁力によって作動する警報アラーム１４が設けられ、この警報アラーム１４に対向すべくケーシング８の隅所にはマグネット１５が配されている（図８（ｅ）参照）。警報アラーム１４は開閉扉１３が開くとマグネット１５の磁力から開放されることで発鳴作動し、これと同時に例えばＣＡＴＶネットワークを経由して例えば最寄りの消防署等の救命救助機関に緊急連絡される。また、ＣＡＴＶネットワーク経由で自動体外式除細動器Ｌの自己診断試験の実施やその結果等が遠隔で行えるものとしてある。一方、開閉扉１３が閉まるとマグネット１５の磁力によって作動が停止するものとなっている。
【００３４】
図９および図１０に示すように、上記棚板１０は断面略コ字形の矩形トレー状に形成されており、当該棚板１０を天地付け替えることで自動体外式除細動器Ｌの高さの大小に対応できるものとされており、さらに棚板１０自体は後方側に向けて約３度だけ下方傾斜している。また、ケーシング８の内底部隅所には閉栓可能な水抜き孔１６を備え、ケーシング８の前側縁部と右側扉４Ｂの開口部７縁部との当接する箇所には防水用ゴムパッキン等の封止部材１７が貼着されている。なお、自動体外式除細動器Ｌとは、心臓が痙攣し血液を流すポンプ機能を失った状態（心室細動）になった心臓に対して、電気ショックを与え、正常なリズムに戻すための医療機器である。
【００３５】
なお、この自動体外式除細動器Ｌは、ボックス本体１内に配置されないこともあり、配置されない場合には、前記した分配器Ｄの収納用のスライドレール式棚構造と同様なスライド棚部が設けられ、必要に応じて収納設置される各種機器の設置スペースとして利用されるようにしてある。
【００３６】
また、図１１に示すように、ボックス本体１の上記観音扉構造の右側扉４Ｂ上部には、透明な例えばアクリル製等の透明な窓部３１が形成されており、その内側には例えばＣＡＴＶネットワークを利用したデジタルサイネージサービス、避難場所やＡＥＤ設置箇所等の防災情報、地域案内図、地域広告等その他の各種情報を表示させるための情報表示用の液晶ディスプレイ（ＬＣＤ）、有機ディスプレイ等の如き電子表示装置３２が枠組カバー状の設置用アタッチメント３３によって取付けられている。この電子表示装置３２自体は、鉛直な窓部３１に対し約５度の上向き傾斜角度をもって配置されている。
【００３７】
一方、上記した監視カメラ５４やＬＥＤ防犯灯５１等による防犯・防災機能、無線ＬＡＮ等のアクセスポイント器５３によるインターネットアクセスポイント機能、無線ＬＡＮ等のアンテナ５２による送受信機能それぞれはボックス本体１の背面側壁５Ｄに立脚状に設置した支柱４１の上部、すなわち後述の上側支柱４１Ｂの上端部に設けられている（図１参照）。
【００３８】
図３および図６に示すように、支柱４１は長さ方向の略中間部分を境にして下側支柱４１Ａと上側支柱４１Ｂとの２つに分離可能と成し、下側支柱４１Ａはボックス本体１の背面側壁５Ｄ下端から後方に突出させた略半円状の台座４２上に立脚支持され、下側支柱４１Ａの上端側は背面側壁５Ｄ上端側から後方に突出させた筒状の保持枠部４３によって保持されている。
【００３９】
下側支柱４１Ａとボックス本体１とは当該ボックス本体１の背面側壁５Ｄの略中間部分に付設された通線用の連結枠筒部４４を介して互いに連通されており、上記したボックス本体１内の非常時電源供給器Ｐから監視カメラ５４やＬＥＤ防犯灯５１への電力供給、分配器Ｄのイーサネット（登録商標）（ＰｏＥ）ＬＡＮ給電機能によるアクセスポイント器５３への電力供給、ボックス本体１内の分配器Ｄのイーサネット（登録商標）（ＰｏＥ）ＬＡＮとアンテナ５２との配線等のための接続通路を形成している。
【００４０】
下側支柱４１Ａの上部開口端側は上側支柱４１Ｂの下部開口端側よりも径サイズが若干大きくなっており、両開口端同士を嵌合して側面から固定ピンを貫通させることで固定するか、あるいは両開口端同士を雄雌ネジ構造にしてねじ込み連結固定するか等の連結部４６を設けることによって、１本の支柱４１が組み立てられるものとなっている。このように分割・組立構造とすることで、設置現場への運搬、搬入を容易にし、現場において組立可能として支柱４１の搬送作業や上側支柱４１Ｂへの上記した監視カメラ５４、ＬＥＤ防犯灯５１、アクセスポイント器５３、アンテナ５２等の各種機器の取付け作業も容易となる。
【００４１】
前記ＬＥＤ防犯灯５１は、例えば自動点滅機能付きの昼白色タイプの防雨形ＬＥＤランプを使用し、上側支柱４１Ｂの最上端に路面を照らすように設けられている。
【００４２】
ＬＥＤ防犯灯５１の下方では、例えばＷｉＦｉ、携帯ピコ・マイクロセル、電子料金収受システム（ＥＴＣ）用ミリ波、ＩＲタグ等の送受信用の例えばインピーダンス５０Ωのコリニア形式等による無指向性のアンテナ５２が例えばＵボルトまたはＵバンド等のＵ字金具５５等によって上側支柱４１Ｂに固設されている。図示のように、３本のアンテナ５２が等間隔に起立固定されている支持バー５２Ａを水平にして上側支柱４１Ｂにあてがっておき、Ｕ字両先端がネジ部となっている左右一対のＵ字金具５５で支持バー５２Ａを抱き合わせた状態にしてから左右一対のＵ字金具５５の各両先端側で上側支柱４１Ｂを挟み込んだ状態にしてから左右のＵ字金具５５の対向するネジ部同士を各１枚の座板５５Ａに通して反対側からナット締めすることで固定される。
【００４３】
アンテナ５２の下方では、無線ＬＡＮ等のアクセスポイント器５３が例えばＵボルトまたはＵバンド等のＵ字金具５５等によって上側支柱４１Ｂに固設されている。図示のように、Ｕ字両先端がネジ部となっている上下一対のＵ字金具５５それぞれによって上側支柱４１Ｂを抱き込んだ状態にしてから上下のＵ字金具５５の各ネジ部をアクセスポイント器５３の取付基部５３Ａに通して反対側からナット締めすることで固定される。このアクセスポイント器５３としては、分配器Ｄのイーサネット（登録商標）（ＰｏＥ）ＬＡＮ給電機能からの電力によって作動する例えばワイヤレスアクセスポイントＡＰ−８００が使用される。アクセスポイント器５３は、ノートパソコンやスマートフォンなどの無線ＬＡＮクライアント（無線端末）を相互に接続したり、他のネットワークに接続したりする無線機の一種であり、無線ＬＡＮクライアントはアクセスポイントを介してインターネットアクセス等の通信を行うことができる。
【００４４】
アクセスポイント器５３の下方では、防犯・防災のための監視カメラ５４が例えばＵボルトまたはＵバンド等のＵ字金具５５等によって上側支柱４１Ｂに固設されている。この場合、Ｕ字両先端がネジ部となっている上下一対のＵ字金具５５それぞれによって上側支柱４１Ｂを抱き込んだ状態にしてから上下のＵ字金具５５の各ネジ部を、監視カメラ５４を支持するブラケット５４Ａに通して反対側からナット締めすることで固定される。なお、監視カメラ５４は、撮影した映像の伝送・処理、記録、表示機能を含むシステム全体を指すものである。
【００４５】
次に、以上のように構成された形態についての使用の一例について説明すると、この考案に係る改良型ペデスタルボックスの設置場所近傍で、例えば震災による救命時、あるいは人身事故や交通事故等による救命時においては、事故者の心臓が痙攣し血液を流すポンプ機能を失った状態（心室細動）になった心臓に対して、電気ショックを与え、正常なリズムに戻す必要がある場合、救命者はボックス本体１のケーシング８の開閉扉１３を解錠して開放する。開閉扉１３が開放されるとマグネット１５の磁力から開放されることで警報アラーム１４が発鳴作動すると同時にネットワークを経由して所定の救命救助機関に緊急連絡される。このようにして、救命者はケーシング８内に収納された自動体外式除細動器Ｌを取出して被救命者の救命措置を行うのである。
【００４６】
電子表示装置３２は、例えばＣＡＴＶネットワークを利用したデジタルサイネージサービスによって、避難場所やＡＥＤ設置箇所等の防災情報、地域案内図、地域広告等その他の各種情報を表示してボックス本体１周辺の通行者に提供される。
【００４７】
ＬＥＤ防犯灯５１は、例えば停電時や夜間等においてオンされることで、ボックス本体１内のスイッチボックスＳの作動によって自動的にオンにさせ、例えば非常時電源供給器Ｐからの給電力によって当該ＬＥＤ防犯灯５１が点灯する。これにより、停電時や夜間等におけるボックス本体１周辺の通行者に対する防犯や自動車・自転車等の追突事故等が未然に防止されるものとなる。
【００４８】
無線ＬＡＮ等のアンテナ５２は、ＣＡＴＶ事業者向け地域ＷｉＦｉサービスや携帯端末事業者向けサービス等に基づく各種情報の送受信を行うことにより、ミリ波を利用した次世代交通システム、さらにはＩＲタグを利用した高齢者や子供等の位置情報サービス等が提供される。
【００４９】
無線ＬＡＮ等のアクセスポイント器５３は、分配器Ｄのイーサネット（登録商標）（ＰｏＥ）ＬＡＮ給電機能からの電力によって作動する。そしてボックス本体１周辺の歩道での通行者が所持するノートパソコンやスマートフォンなどの無線ＬＡＮクライアント（無線端末）を相互に接続したり、他のネットワークに接続したりすることで、無線ＬＡＮクライアントはこのアクセスポイント器５３を介してインターネットアクセス等の通信を行うものとなる。
【００５０】
監視カメラ５４は、ボックス本体１に隣接した例えば歩道の混雑状況や車道の渋滞状況等を常時監視し、これらの状況情報を前記分配器Ｄによって不図示の監視センター等へ送信する。ボックス本体１周辺の歩道での通行者に対する犯罪行為や車道での渋滞状況・違法駐車・交通事故・火災等の実況が監視センター等によってリアルタイムで画像情報として把握され、監視センター側から警察署や救助センターへ連絡して現場への出動を要請する。場合によって、この分配器Ｄに、設置したボックス本体１の路上における周囲状況を画像として取得した各種データを記録・保管するようにしておいても良い。
【００５１】
分配器Ｄの点検、保守に際し、上記観音扉構造となっている正面側壁４の左側扉４Ａを開放させてから、前記スライドレール式棚構造によってスライド棚２４をボックス本体１前方にスライドさせる。このとき分配器Ｄに接続されている光ファイバ等の点検、保守作業の容易性が充分に確保される。
【符号の説明】
【００５２】
Ａ…増幅器                              Ｐ…非常時電源供給器
Ｓ…スイッチボックス                    Ｄ…分配器
Ｈ…ハンドホール                        Ｆ…ボックス用蓋
Ｌ…自動体外式除細動器（ＡＥＤ）
１…ボックス本体                        ２…据付部材
３…嵩上げ架台                          ４…正面側壁
４Ａ…左側扉                            ４Ｂ…右側壁
５Ａ…左側壁                            ５Ｂ…右側壁
５Ｃ…上側壁                            ５Ｄ…背面側壁
６…ガラリ窓群                          ７…開口部
８…ケーシング                          ９…取付孔
１０…棚板                              １１…埋込み取っ手
１２…窓部                              １３…開閉扉
１４…警報アラーム                      １５…マグネット
１６…水抜き孔                          １７…封止部材
２１Ａ，２１Ｂ，２１Ｃ，２１Ｄ…縦金物  ２２…ラック
２３Ａ，２３Ｂ…スライドレール取付金物  ２４…スライド棚
２２Ａ…パンチ孔                        ２５…スライドレール
２６…連結孔                            ２７…締結部材
３１…窓部                              ３２…電子表示装置
３３…設置用アタッチメント
４１…支柱                              ４１Ａ…下側支柱
４１Ｂ…上側支柱                        ４２…台座
４３…保持枠部                          ４４…連結枠筒部
５１…ＬＥＤ防犯灯                      ５２…アンテナ
５２Ａ…支持バー                        ５３…アクセスポイント器
５３Ａ…取付基部                        ５４…監視カメラ
５４Ａ…ブラケット                      ５５…Ｕ字金具
５５Ａ…座板
【図１】
0003198520.tif 000003
【図２】
0003198520.tif 000004
【図３】
0003198520.tif 000005
【図４】
0003198520.tif 000006
【図５】
0003198520.tif 000007
【図６】
0003198520.tif 000008
【図７】
0003198520.tif 000009
【図８】
0003198520.tif 000010
【図９】
0003198520.tif 000011
【図１０】
0003198520.tif 000012
【図１１】
0003198520.tif 000013
【手続補正書】
【提出日】平成27年4月30日(2015.4.30)
【手続補正１】
【補正対象書類名】実用新案登録請求の範囲
【補正対象項目名】全文
【補正方法】変更
【補正の内容】
【実用新案登録請求の範囲】
【請求項１】
地中線方式で構成される通信線系路の保守、点検用に地上に設置される改良型ペデスタルボックスであって、伝送品質を確保する増幅器、停電時の非常時にこの増幅器を作動させる電源となる非常時電源供給器、需要家毎に伝送信号を分配し、また周囲状況の取得情報を送信する分配器の各種機器を備えたボックス本体に、監視カメラやＬＥＤ防犯灯による防犯・防災機能、無線ＬＡＮのアクセスポイント器によるインターネットアクセスポイント機能、無線ＬＡＮのアンテナによる送受信機能、電子表示装置による防災情報表示機能の各種機能用の機器を付設して成ることを特徴とする改良型ペデスタルボックス。
【請求項２】
ボックス本体には、救命機能用の自動体外式除細動器を付設し、この自動体外式除細動器は、ボックス本体に形成した開口部を通じて収容され、前面を開閉扉によって開放可能としたケーシング内に、前記非常時電源供給器からの電力によって充電された状態で収納されていると共に、救命時にケーシングの開閉扉が開放されることで発鳴作動する警報アラームを備え、この発鳴と同時にネットワークを経由して救命救助機関に緊急連絡可能な構成とした請求項１記載の改良型ペデスタルボックス。
【請求項３】
前記電子表示装置は、ボックス本体に形成した透明な窓部の内側に設けられ、ＣＡＴＶネットワークを利用したデジタルサイネージサービス、避難場所やＡＥＤ設置箇所の防災情報、地域案内図、地域広告の各種情報を前記窓部を通して表示させる構成とした請求項１または２記載の改良型ペデスタルボックス。
【請求項４】
前記監視カメラ、ＬＥＤ防犯灯、アクセスポイント、アンテナそれぞれはボックス本体の背面側に立脚状に設置した支柱の上部に設けられ、支柱とボックス本体とは通線用の連結枠筒部を介して互いに連通されている構成とした請求項１乃至３のいずれか記載の改良型ペデスタルボックス。
【請求項５】
前記ＬＥＤ防犯灯は、停電時や夜間においてオン可能として成る請求項１乃至４のいずれか記載の改良型ペデスタルボックス。
【請求項６】
前記無線ＬＡＮのアンテナは、ＣＡＴＶ事業者向け地域ＷｉＦｉサービスや携帯端末事業者向けサービスに基づく各種情報の送受信を行わせるものとした請求項１乃至５のいずれか記載の改良型ペデスタルボックス。
【請求項７】
前記無線ＬＡＮのアクセスポイント器は、分配器のＬＡＮ給電機能からの電力によって作動されるものとした請求項１乃至６のいずれか記載の改良型ペデスタルボックス。
【請求項８】
前記監視カメラは、ボックス本体周辺の状況情報を前記分配器によって監視センターへ送信可能として構成した請求項１乃至７のいずれか記載の改良型ペデスタルボックス。
【請求項９】
前記分配器は、ボックス本体前方にスライド可能なスライドレール式棚構造のスライド棚に載置された構成とした請求項１乃至８のいずれか記載の改良型ペデスタルボックス。